(57)【要約】【課題】ブレーカの設置位置や状態を容易に把握することを可能にする。【解決手段】通電電流を検出する電流検出部１３０、通電を遮断する遮断部１２０、検出結果を送信する通信部１０２、検出結果に変化が生じた場合に当該検出結果を送信するよう制御する制御部１０１、を備える電子ブレーカ１００と、電子ブレーカから送信される検出結果を受信する通信部２０２、各種情報を表示する表示部２０３、受信した検出結果に基づいて電子ブレーカ１００の距離及び方向並びに状態を表示部２０３に表示させる制御部２０１、を備える端末装置２００と、により構成される。【選択図】図１
2018060764.tif 000002
【特許請求の範囲】
【請求項１】
負荷への通電電流を検出する電流検出部と、
負荷への通電を遮断する遮断部と、
前記電流検出部の検出結果を送信する通信部と、
前記電流検出部の検出結果に応じて各部を制御する制御部と、
を備え、
前記制御部は、前記電流検出部の検出結果に変化が生じた場合に当該検出結果を前記通信部が送信するよう制御する、
ことを特徴とする電子ブレーカ。
【請求項２】
通電電流が設定電流値を超えたことを前記電流検出部が検出した場合に、前記遮断部が負荷への通電を遮断し、
前記制御部は、前記遮断部が通電を遮断したことを前記通信部が送信するよう制御する、
ことを特徴とする請求項１に記載の電子ブレーカ。
【請求項３】
識別信号を記憶する記憶部を備えて構成され、
前記制御部は、前記識別信号を付して前記通信部が送信するよう制御する、
ことを特徴とする請求項１乃至請求項２のいずれか一項に記載の電子ブレーカ。
【請求項４】
通信周波数を記憶する記憶部を備えて構成され、
前記制御部は、前記通信周波数により前記通信部が送信するよう制御する、
ことを特徴とする請求項１乃至請求項３のいずれか一項に記載の電子ブレーカ。
【請求項５】
前記制御部は、前記電流検出部の検出結果が所定時間以上経過しても変化が生じない場合に、当該所定時間経過時に前記検出結果を前記通信部が送信するよう制御する、
ことを特徴とする請求項１乃至請求項４のいずれか一項に記載の電子ブレーカ。
【請求項６】
負荷への通電電流を検出する電流検出部、負荷への通電を遮断する遮断部、前記電流検出部の検出結果を送信する通信部、前記電流検出部の検出結果に変化が生じた場合に当該検出結果を前記通信部が送信するよう制御する制御部、を備える電子ブレーカと、
前記電子ブレーカから送信される前記検出結果を受信する通信部、各種情報を表示する表示部、受信した前記検出結果に基づいて前記電子ブレーカの距離及び方向並びに状態を前記表示部に表示させる制御部、を備える端末装置と、
により構成されることを特徴とする配電監視システム。
【請求項７】
前記電子ブレーカは、通電電流が設定電流値を超えたことを前記電流検出部が検出した場合に、前記遮断部が負荷への通電を遮断すると共に、通電の遮断を前記通信部が送信し、
前記端末装置は、前記電子ブレーカから受信した内容に基づいて当該電子ブレーカの状態を前記表示部に表示する、
ことを特徴とする請求項６に記載の配電監視システム。
【請求項８】
前記電子ブレーカは識別信号を付して送信し、
前記端末装置は前記識別信号に基づいて前記電子ブレーカを識別し、当該電子ブレーカの状態を前記表示部に表示する、
ことを特徴とする請求項６乃至請求項７のいずれか一項に記載の配電監視システム。
【請求項９】
前記電子ブレーカは予め定められた通信周波数により送信し、
前記端末装置は前記通信周波数において受信した内容に基づいて前記電子ブレーカの状態を前記表示部に表示する、
ことを特徴とする請求項６乃至請求項８のいずれか一項に記載の配電監視システム。
【請求項１０】
前記電子ブレーカは、前記電流検出部の検出結果が所定時間以上経過しても変化が生じない場合に、当該所定時間経過時に前記検出結果を前記通信部が送信するよう制御し、
前記端末装置は、受信した内容に基づいて前記電子ブレーカの状態を前記表示部に表示する、
ことを特徴とする請求項６乃至請求項９のいずれか一項に記載の配電監視システム。
【請求項１１】
前記電子ブレーカとして、それぞれ異なる識別信号が付された複数の電子ブレーカが設置され、
前記端末装置は、前記識別信号に基づいて複数の電子ブレーカそれぞれを識別し、複数の電子ブレーカのそれぞれの状態を前記表示部に表示する、
ことを特徴とする請求項６乃至請求項１０のいずれか一項に記載の配電監視システム。
【請求項１２】
前記端末装置は、前記通信部を介して遮断制御信号を前記電子ブレーカに向けて送信し、
前記電子ブレーカは、前記端末装置からの前記遮断制御信号を前記通信部を介して受信し、当該遮断制御信号に基づいて前記遮断部が負荷への通電を遮断する、
ことを特徴とする請求項６乃至請求項１１のいずれか一項に記載の配電監視システム。
【請求項１３】
前記端末装置は、設定電流値を送信し、
前記電子ブレーカは、前記端末装置からの前記設定電流値を受信し、当該設定電流値を更新し、更新された当該設定電流値に基づいて前記遮断部による負荷への通電の遮断を制御する、
ことを特徴とする請求項６乃至請求項１２のいずれか一項に記載の配電監視システム。
【発明の詳細な説明】
【技術分野】
【０００１】  本発明は、電子ブレーカ及び配電監視システムに関し、特に、位置や状態を容易に把握可能な電子ブレーカ及びこの電子ブレーカを用いた配電監視システムに関する。
【背景技術】
【０００２】  負荷が所定の電流容量を超える場合には、安全のためにブレーカが電流を遮断するようになっている。なお、ブレーカの遮断状況は、人間が現場に赴いて確認する必要がある。また、このようなブレーカは、一切の情報を送信するものではない。なお、配電監視システムとして、類似の技術について、以下の特許文献に各種の提案がなされている。
【先行技術文献】
【特許文献】
【０００３】
【特許文献１】特開平１１−２８１７０２号公報
【発明の概要】
【発明が解決しようとする課題】
【０００４】  この特許文献１記載の過電流監視無線通知システムでは、過電流を検出したら無線で通知をし、この通知を受信することで、過電流が発生した事故区間を特定することが可能に構成されている。なお、以上の過電流監視無線通知システムでは、配電線に配置された変流器における過電流の発生有無を単に携帯電話等を用いて無線で通知するに過ぎない。このため、予め過電流監視位置（監視装置の設置箇所）を知っておく必要がある。また、過電流が発生してから初めて通知を行うものであり、常に状態を監視するものではない。更に、ブレーカのように多数の監視位置が存在していたり、増設がなされるような用途には適していない問題がある。【０００５】  本発明は、設置位置や状態を容易に把握することが可能な電子ブレーカ及びこの電子ブレーカを用いた配電監視システムを提供することを目的とする。
【課題を解決するための手段】
【０００６】  すなわち、前記した課題を解決する本発明は、以下の通りである。
（１）本発明の電子ブレーカは、負荷への通電電流を検出する電流検出部と、負荷への通電を遮断する遮断部と、前記電流検出部の検出結果を送信する通信部と、前記電流検出部の検出結果に応じて各部を制御する制御部と、を備え、前記制御部は、前記電流検出部の検出結果に変化が生じた場合に当該検出結果を前記通信部が送信するよう制御する、ことを特徴とする。
また、本発明の配電監視システムは、負荷への通電電流を検出する電流検出部、負荷への通電を遮断する遮断部、前記電流検出部の検出結果を送信する通信部、前記電流検出部の検出結果に変化が生じた場合に当該検出結果を前記通信部が送信するよう制御する制御部、を備える電子ブレーカと、前記電子ブレーカから送信される前記検出結果を受信する通信部、各種情報を表示する表示部、受信した前記検出結果に基づいて前記電子ブレーカの距離及び方向並びに状態を前記表示部に表示させる制御部、を備える端末装置と、により構成されることを特徴とする。【０００７】  （２）以上の（１）に記載の電子ブレーカと配電監視システムにおいて、前記電子ブレーカは、通電電流が設定電流値を超えたことを前記電流検出部が検出した場合に、前記遮断部が負荷への通電を遮断すると共に、通電の遮断を前記通信部が送信し、前記端末装置は、前記電子ブレーカから受信した内容に基づいて当該電子ブレーカの状態を前記表示部に表示する、ことを特徴とする。【０００８】  （３）以上の（１）〜（２）に記載の電子ブレーカと配電監視システムにおいて、前記電子ブレーカは、識別信号を付して送信し、前記端末装置は、前記識別信号に基づいて前記電子ブレーカを識別し、当該電子ブレーカの状態を前記表示部に表示する、ことを特徴とする。【０００９】  （４）以上の（１）〜（３）に記載の電子ブレーカと配電監視システムにおいて、前記電子ブレーカは、予め定められた通信周波数により送信し、前記端末装置は、前記通信周波数において受信した内容に基づいて前記電子ブレーカの状態を前記表示部に表示する、ことを特徴とする。【００１０】  （５）以上の（１）〜（４）に記載の電子ブレーカと配電監視システムにおいて、前記電子ブレーカは、前記電流検出部の検出結果が所定時間以上経過しても変化が生じない場合に、当該所定時間経過時に前記検出結果を前記通信部が送信するよう制御し、前記端末装置は、受信した内容に基づいて前記電子ブレーカの状態を前記表示部に表示する、ことを特徴とする。【００１１】  （６）以上の（１）〜（５）に記載の電子ブレーカと配電監視システムにおいて、前記電子ブレーカとして、それぞれ異なる識別信号が付された複数の電子ブレーカが設置され、前記端末装置は、前記識別信号に基づいて複数の電子ブレーカそれぞれを識別し、複数の電子ブレーカのそれぞれの状態を前記表示部に表示する、ことを特徴とする。【００１２】  （７）以上の（１）〜（６）に記載の電子ブレーカと配電監視システムにおいて、前記端末装置は、前記通信部を介して遮断制御信号を前記電子ブレーカに向けて送信し、前記電子ブレーカは、前記端末装置からの前記遮断制御信号を前記通信部を介して受信し、当該遮断制御信号に基づいて前記遮断部が負荷への通電を遮断する、ことを特徴とする。【００１３】  （８）以上の（１）〜（７）に記載の電子ブレーカと配電監視システムにおいて、前記端末装置は、設定電流値を送信し、前記電子ブレーカは、前記端末装置からの前記設定電流値を受信し、当該設定電流値を更新し、更新された当該設定電流値に基づいて前記遮断部による負荷への通電の遮断を制御する、ことを特徴とする。【００１４】  （９）以上の��１）〜（８）に記載の電子ブレーカと配電監視システムにおいて、電流検出部に加え、振動センサ、煙センサを設けることが可能である。
【発明の効果】
【００１５】  本発明によると以下のような効果を奏することができる。
（１）本発明において、電子ブレーカは、負荷への通電電流を検出する電流検出部と、負荷への通電を遮断する遮断部と、電流検出部の検出結果を送信する通信部と、電流検出部の検出結果に応じて各部を制御する制御部と、を備え、制御部は、電流検出部の検出結果に変化が生じた場合に当該検出結果を通信部が送信するよう制御する。また、端末装置は、電子ブレーカから送信される検出結果を受信する通信部、各種情報を表示する表示部、受信した検出結果に基づいて電子ブレーカの状態を表示部に表示させる制御部、を備える。これにより、端末装置側で、電子ブレーカの設置位置や状態を容易に把握することが可能になる。【００１６】  そして、本発明の電子ブレーカと配電監視システムによると、多くのブレーカを備える工場や集合住宅、商用ビルなどには効果的であり、視覚に優れた操作性がある。そして、遮断時の迅速な復旧や、遮断に至った原因の究明が容易になり、ブレーカ遮断による停電の経済損失を最小にすることが可能になる。【００１７】  （２）以上の（１）に記載の配電監視システムにおいて、電子ブレーカは、通電電流が設定電流値を超えたことを電流検出部が検出した場合に、遮断部が負荷への通電を遮断すると共に、通電の遮断を通信部が送信し、端末装置は、電子ブレーカから受信した内容に基づいて当該電子ブレーカの状態を表示部に表示する。これにより、負荷や配線が過電流から守られると共に、端末装置側で、過電流が発生した電子ブレーカの設置位置や状態を容易に把握することが可能になる。【００１８】  （３）以上の（１）〜（２）に記載の配電監視システムにおいて、電子ブレーカは識別信号を付して送信し、端末装置は識別信号に基づいて電子ブレーカを識別し、当該電子ブレーカの状態を表示部に表示する。これにより、電子ブレーカが複数存在している場合でも、端末装置側で、状態変化が発生した電子ブレーカの設置位置や状態を容易に確実に把握することが可能になる。【００１９】  （４）以上の（１）〜（３）に記載の配電監視システムにおいて、電子ブレーカは予め定められた通信周波数により送信し、端末装置は通信周波数において受信した内容に基づいて電子ブレーカの状態を表示部に表示する。これにより、電子ブレーカが複数存在している場合でも混信に影響されず、端末装置側で、状態変化が発生した電子ブレーカの設置位置や状態を、確実にかつ容易に把握することが可能になる。【００２０】  （５）以上の（１）〜（４）に記載の配電監視システムにおいて、電子ブレーカは、電流検出部の検出結果が所定時間以上経過しても変化が生じない場合に、当該所定時間経過時に検出結果を通信部が送信するよう制御し、端末装置は、受信した内容に基づいて電子ブレーカの状態を表示部に表示する。これにより、状態変化が発生しない状況であっても電子ブレーカの設置位置や状態を、生存確認や異常放置を含め、端末装置側で確実にかつ容易に把握することが可能になる。【００２１】  （６）以上の（１）〜（５）に記載の配電監視システムにおいて、電子ブレーカとして、それぞれ異なる識別信号が付された複数の電子ブレーカが設置され、端末装置は、識別信号に基づいて複数の電子ブレーカそれぞれを識別し、複数の電子ブレーカのそれぞれの状態を表示部に表示する。これにより、複数の電子ブレーカが存在する場合であっても、電子ブレーカの設置位置や状態（状態変化、過電流発生、生存確認、異常放置など）を容易に把握することが可能になる。【００２２】  （７）以上の（１）〜（６）に記載の配電監視システムにおいて、端末装置は、遮断制御信号を通信部を介して電子ブレーカに向けて送信し、電子ブレーカは、端末装置からの遮断制御信号を通信部を介して受信し、当該遮断制御信号に基づいて遮断部が負荷への通電を遮断する。これにより、端末装置側で電子ブレーカの設置位置や状態を把握した上で、更に、端末装置から電子ブレーカの遮断の制御が可能になる。【００２３】  （８）以上の（１）〜（７）に記載の配電監視システムにおいて、端末装置から設定電流値を送信し、電子ブレーカは端末装置からの設定電流値を受信して当該設定電流値を更新し、更新された当該設定電流値に基づいて遮断部による負荷への通電の遮断を制御する。これにより、電子ブレーカの設置位置や状態を容易に把握することが可能になるだけでなく、遮断のための設定電流値を遠隔操作で変更することができて使用状況に応じた柔軟かつ適切な対応が可能になる。【００２４】  （９）以上の（１）〜（８）に記載の電子ブレーカと配電監視システムにおいて、電流検出部に加え、振動センサ、煙センサ等の他の検出部を設け、検出部の検出結果を送信することにより、更に多様な状態検出が可能になる。
【図面の簡単な説明】
【００２５】
【図１】本発明の実施形態の構成を示す構成図である。
【図２】本発明の実施形態の構成を示す構成図である。
【図３】本発明の実施形態の動作状態を示す説明図である。
【図４】本発明の実施形態の動作を示すフローチャートである。
【図５】本発明の実施形態の端末装置の表示画面を示す説明図である。
【図６】本発明の実施形態の端末装置の表示画面を示す説明図である。
【発明を実施するための形態】
【００２６】  以下、図面を参照して、本発明の実施形態である電子ブレーカ１００と端末装置２００とからなる配電監視システム１０について詳細に説明する。
〔構成〕
【００２７】  本実施形態の配電監視システム１０は、図１に示されるように、電子ブレーカ１００と端末装置２００とにより構成されている。なお、図１において配線は３線式のものを具体例に示すが、２線式のものであっても良い。また、配線１ａは電気事業者に近い上流側、配線１ｂは負荷に近い下流側であると定義する。
【００２８】  ここで、電子ブレーカ１００は、配電盤や分電盤に配置され、通電電流が設定電流値を超えたことを検出した場合に、負荷への通電を遮断する。なお、この電子ブレーカ１００は、一般に、安全ブレーカ、電流ブレーカ、漏電ブレーカ、配線遮断器などと呼ばれる各種のブレーカとして使用することができる。
【００２９】  また、この電子ブレーカ１００は、図１に示されるように電子制御により制御されるもので、制御部１０１、通信部１０２、記憶部１０５、電源部１１０、遮断部１２０、電流検出部１３０、を備えて構成される。
【００３０】  制御部１０１は、ＣＰＵや各種プロセッサにより構成されており、制御プログラムの処理により、電子ブレーカ１００内の各部を以下に説明するように制御する。
【００３１】  通信部１０２は、通電電流の検出結果を少なくとも無線により送信する送信機能を有している。なお、通信部１０２は、端末装置２００からの指示を受信する受信機能を備えることも望ましい。
【００３２】  記憶部１０５は、不揮発性の記憶素子により、個々の電子ブレーカ１００を識別するために付与された識別信号や、送信周波数又は送受信周波数を記憶する。
【００３３】  電源部１１０は、遮断されない上流側の配線１ａに接続された電源回路１１１を備え、電子ブレーカ１００が動作するのに必要な電力を各部に供給する。
【００３４】  遮断部１２０は、上流側の配線１ａと下流（負荷）側の配線１ｂとの間で、通常（通電電流が設定電流値を超えない）時は接続（導通）し、過電流（通電電流が設定電流値を超えた）時は遮断（接点開放＝非導通）するため、配線間で接続と遮断とを切り替える接点１２１，１２２，１２３と、接点１２１〜１２３の接続／遮断状態を駆動する電磁ソレノイドなどで構成された駆動部１２４とを備えて構成される。
【００３５】  電流検出部１３０は、通電電流値を検出するため、配線１ａ又は配線１ｂのそれぞれに接続された変流器等のセンサ１３１，１３２，１３３と、センサ１３１〜１３３の検出結果から電流値を算出する電流値算出回路１３４とを備えて構成される。
【００３６】  また、電子ブレーカ１００は、遮断部１２０において、遮断から接続に復旧させる手動押圧式のリセットスイッチ（図示せず）を備えている。また、本実施形態の通信機能を有する電子ブレーカ１００は、配電盤や分電盤などの既存の位置に配置する場合には、従来の電子ブレーカと同等な大きさや形状であることが望ましい。すなわち、本実施形態の電子ブレーカ１００は、外見上は従来のブレーカと同等な、無線内蔵電子ブレーカであると言える。
【００３７】  そして、制御部１０１は、電流検出部１３０の検出結果に変化が生じた場合に、当該検出結果を通信部１０２が送信するよう制御する。また、制御部１０１は、通電電流が設定電流値を超えたことを電流検出部１３０が検出した場合に、遮断部１２０が負荷への通電を遮断するように制御する。また、制御部１０１は、通電電流が設定電流値を超えたことを電流検出部１３０が検出した場合に、遮断部１２０が負荷への通電を遮断するように制御し、遮断部１２０による通電の遮断を通信部１０２が送信するように制御する。また、制御部１０１は、電流検出部１３０の検出結果に変化が生じた場合や、遮断部１２０の状態に変化が生じた場合に、当該検出結果や状態の変化を通信部１０２が識別信号を付して送信するように制御する。また、制御部１０１は、電流検出部１３０の検出結果に変化が生じた場合や、遮断部１２０の状態に変化が生じた場合に、予め定められた通信周波数により通信部１０２が送信するように制御する。また、制御部１０１は、電流検出部１３０の検出結果が所定時間以上経過しても変化が生じない場合に、当該所定時間経過時に検出結果を通信部１０２が送信するよう制御する。また、電子ブレーカ１００が複数存在する場合には、それぞれ異なる識別信号が付されている。また、制御部１０１は、端末装置２００からの遮断制御信号を通信部１０２が受信した場合には、当該遮断制御信号に基づいて、遮断部１２０が負荷への通電を遮断するよう制御する。また、制御部１０１は、端末装置２００からの設定電流値を通信部１０２が受信した場合には、記憶部１０５における当該設定電流値を更新し、更新された当該設定電流値に基づいて遮断部１２０による負荷への通電の遮断を制御する。また、電子ブレーカ１００において、電流検出部１３０に加え、振動センサ、煙センサ等の図示されない他の検出部を設けることも可能である。
【００３８】  ここで、端末装置２００は、通信機能を有するコンピュータ、望ましくは、タブレット、ノートＰＣ、スマートフォン等の可搬型の機器で構成される。そして、この端末装置２００は、電子ブレーカ１００を複数を備える工場や集合住宅や商用ビルなどの空間において、ユーザが所持した状態で、電子ブレーカ１００の個々の状態（接続、遮断、電流値、位置など）を表示部に表示する機能を有する。
【００３９】  また、この端末装置２００は、図１に示されるように、制御部２０１、通信部２０２、操作表示部２０３、記憶部２０５、を備えて構成される。
【００４０】  制御部２０１は、ＣＰＵや各種プロセッサにより構成されており、ブレーカ状態表示プログラム等の制御プログラムの処理により、電子ブレーカ１００からの通信を受信して電子ブレーカ１００の状態を操作表示部２０３に表示するように制御する。
【００４１】  また、制御部２０１は、電子ブレーカ１００からの通信を受信し、その電界強度の変化から電子ブレーカ１００の位置及び方向を算出する位置方向算出機能を有する。
【００４２】  通信部２０２は、電子ブレーカ１００からの通電電流の検出結果や遮断の有無などの通信を少なくとも受信する受信機能を有している。なお、通信部２０２は、電子ブレーカ１００への遮断などの指示を送信する送信機能を備えることも望ましい。なお、通信部２０２は、電子ブレーカ１００のそれぞれの方向を識別するために、指向性を切り替え可能な既知の方向探知アンテナや可変指向性アンテナを備えていても良い。
【００４３】  操作表示部２０３は、端末装置２００の所持者であるユーザが各種の操作入力をタッチパネルやキーを介して制御部２０１に対して行うと共に、制御部２０１で処理された電子ブレーカ１００の状態が表示ディスプレイに表示される。
【００４４】  記憶部１０５は、電子ブレーカ１００のそれぞれが使用する通信周波数などが予め記憶されていると共に、制御部２０１で処理された電子ブレーカ１００の状態が次に更新されるまで記憶される。
〔配置例〕
【００４５】  図２では、工場や集合住宅や商用ビルなどの空間Ａにおいて、配線１に対して複数ｍ個の電子ブレーカ１００ａ〜１００ｍが配置された様子を示している。ここで、配線１に対して、上流側の配線１ａ、電子ブレーカ１００ａ、下流側の配線１ｂ、負荷３００ａ、のように接続されている。他の電子ブレーカ１００ｂ〜１００ｍについても同様である。
【００４６】  そして、空間Ａにおいて、ユーザが使用する端末装置２００は１台でも良いし、図２のように複数ｎ台の端末装置２００ａ〜２００ｎが使用されても良い。この場合、複数ｎ台の端末装置２００ａ〜２００ｎでは、それぞれの端末の位置から見た複数ｍ個の電子ブレーカ１００ａ〜１００ｍの位置や状態が画面に表示される。
【００４７】  図３は、工場や集合住宅や商用ビルなどの空間Ａ１において、１６台の電子ブレーカ１００（＃０１〜＃１６）が配置されている様子を示している。そして、空間Ａ１の中心付近に、端末装置２００を所持するユーザＵが位置している様子を具体例として示している。
〔動作〕
【００４８】  以下、図４のフローチャートを参照して、電子ブレーカ１００と端末装置２００とを備えた配電監視システム１０の動作について説明する。
〔電子ブレーカ１００側の動作〕
【００４９】  電子ブレーカ１００は、工場や集合住宅や商用ビルなどの空間において、複数台が配置されることが可能である。そこで、複数台の電子ブレーカ１００の個々について識別可能なように、少なくとも同じ空間内では重複しない識別信号を割り当て、記憶部１０５に格納しておく（図４中のステップＳ１０１）。なお、この識別信号については、ディップスイッチなどを利用してユーザや工事業者が設定しても良いし、電子ブレーカ１００の製造者が製造時に割り当てても良い。また、同じ空間内では重複しないように、電子ブレーカ１００のそれぞれが使用する通信周波数を記憶部１０５に格納しておく。なお、この通信周波数については、ディップスイッチなどを利用してユーザや工事業者が設定しても良いし、電子ブレーカ１００の製造者が製造時に割り当てても良い。
【００５０】  そして、以上のように識別信号と通信周波数とが設定された電子ブレーカ１００を、図２や図３のように必要な箇所にユーザ又は工事業者が設置する（図４中のステップＳ１０２、Ｓ１０３）。なお、この電子ブレーカ１００の設置時には必要に応じて有資格者が設置を行う。なお、この設置により、電源回路１１１が各部に電源を供給し、制御部１０１は制御プログラムに応じて動作を開始する。
【００５１】  設置が完了すると（図４中のステップＳ１０３でＹＥＳ）、ユーザ又は工事業者は手動押圧式のリセットスイッチ（図示せず）を操作して、電子ブレーカ１００を通電状態（接点＝接続）にして負荷に電力を供給する（図４中のステップＳ１０４）。
【００５２】  電子ブレーカ１００が通電状態になり負荷に電力を供給し始めると、制御部１０１は、電流検出部１３０が算出した通電電流値の変化や、遮断部１２０の状態変化（遮断→接続、接続→遮断）を監視する（図４中のステップＳ１０５）。
【００５３】  通電電流値が設定電流値を超過したことが電流検出部１３０により状態変化として検出されると（図４中のステップＳ１０６でＹＥＳ（設定値超過））、遮断部１２０は接点１２１−１２３を開放して負荷への通電を遮断する（図４中のステップＳ１０８）。そして、制御部１０１は、遮断部１２０が通電を遮断したことを、通信部１０２が送信するよう制御する（図４中のステップＳ１０９）。また、制御部１０１は、遮断時における通電電流についても通信部１０２が送信するよう制御する（図４中のステップＳ１０９）。
【００５４】  一方、通電電流値が設定電流値を超過しない程度の状態変化が電流検出部１３０により検出されると（図４中のステップＳ１０６でＹＥＳ（設定値以下））、遮断部１２０は何もせず、制御部１０１は、状態変化が生じた時点における通電電流を通信部１０２が送信するよう制御する（図４中のステップＳ１０９）。
【００５５】  そして、通電電流値に全く変化が生じない状態が電流検出部１３０により検出されると（図４中のステップＳ１０６でＮＯ）、制御部１０１は、一定時間経過を待ち（図４中のステップＳ１０７でＹＥＳ）、一定時間経過時点における通電電流を通信部１０２が送信するよう制御する（図４中のステップＳ１０９）。ここで、一定時間とは予め定められた時間であり、３０秒や１分など任意の時間である。
【００５６】  以下、電子ブレーカ１００は、状態変化の監視（図４中のステップＳ１０５）〜状態送信（図４中のステップＳ１０９）を、制御部１０１の指示に従って繰り返し実行する。なお、以上の説明の状態変化が生じない状態としては、遮断部１２０により接点１２１−１２３が開放されて、通電電流値＝０の状態が続くことも含まれる。従って、遮断部１２０が遮断状態であっても、一定時間毎に、通信部１０２は遮断状態であることを送信し続ける。
【００５７】  また、電子ブレーカ１００が設置されて（図４中のステップＳ１０２，１０３）、通電開始（図４中のステップＳ１０４）することは、通電電流値がゼロから所定の電流値に状態が変化することであり、この状態も通信部１０２により状態変化として送信される。
〔端末装置２００側の動作〕
【００５８】  端末装置２００は、電子ブレーカ１００が配置された工場や集合住宅や商用ビルなどの空間において、図２や図３のように使用される。
【００５９】  まず、端末装置２００において、ユーザによりブレーカ状態表示プログラムのアプリケーションが起動される（図３中のステップＳ２０１）。なお、このアプリケーションはユーザの操作により起動されても良いし、端末装置２００の電源オンと同時に自動的にブレーカ状態表示プログラムのアプリケーションが起動されるようになっていても、どちらでも良い。
【００６０】  制御部２０１は、ブレーカ状態表示プログラムのアプリケーションが起動されると、記憶部２０５において既に登録されたブレーカが存在していれば読み出す（図４中のステップＳ２０２）。また、通信部２０２は、電子ブレーカ１００からの送信を受信するように、予め定められた通信周波数をスキャンしつつ受信している（図４中のステップＳ２０３）。
【００６１】  ここで、制御部２０１は、記憶部２０５に記憶された既登録の電子ブレーカと、通信部２０２の受信結果に含まれる受信電子ブレーカについて識別信号等により比較し（図４中のステップＳ２０４）、未登録の新たな電子ブレーカ１００の存在を確認する（図４中のステップＳ２０５）。
【００６２】  未登録の電子ブレーカ１００の存在が確認されると（図４中のステップＳ２０５でＹＥＳ）、制御部１０１は、未登録の電子ブレーカ１００からの通信を受信し、その電界強度の変化から電子ブレーカ１００の位置及び方向を算出する。ここで、制御部１０１は、電界強度の強弱により端末装置２００から電子ブレーカ１００までの距離を算出することができる。
【００６３】  そして、通信部２０２に指向性を切り替え可能な既知の方向探知アンテナや可変指向性アンテナを備える場合には、方向探知アンテナや可変指向性アンテナを使用して得た電子ブレーカ１００からの通信の電界強度を信号処理することで、電子ブレーカ１００の距離に加えて方向も算出することができる。
【００６４】  また、この際に、通信部２０２が無指向性の一般的なアンテナを備える場合には、空間内で端末装置２００の位置を何カ所か変えて得た電子ブレーカ１００からの通信の電界強度を信号処理することで、端末装置２００から電子ブレーカ１００までの距離に加え、三角測量の原理により電子ブレーカ１００の方向を算出することができる。ここで、端末装置２００の位置を２箇所変えて得た、３個の電子ブレーカ１００からの通信の電界強度を信号処理することで、電子ブレーカ１００の方向を算出することができる。また、端末装置２００の位置を最低３箇所変えて得た電子ブレーカ１００からの通信の電界強度を信号処理することで、特定の１の新たな電子ブレーカ１００の方向を算出することができる。
【００６５】  制御部１０１は、以上のようにして新たなブレーカ１００の位置（端末装置２００からの距離と方向）を特定すると（図４中のステップＳ２０６）、この新たな電子ブレーカ１００について、識別信号と位置とを既登録の電子ブレーカ１００として記憶部２０５に登録し、操作表示部２０３の表示画面に追加表示する（図４中のステップＳ２０８）。
【００６６】  そして、制御部１０１は、新たに登録された電子ブレーカ１００を含めた既登録の電子ブレーカ１００それぞれからの通信を参照して、通電電流値の変化や、遮断／接続の状態変化や、一定時間にわたり変化無い場合の状態（電流値、遮断／接続）について、操作表示部２０３の表示画面に表示する（図４中のステップＳ２１０）。なお、制御部１０１は、既登録の電子ブレーカ１００それぞれからの通信を参照して、一定時間にわたり変化無い場合の状態（電流値、遮断／接続）についても状態変化と同様に操作表示部２０３の表示画面に表示する。なお、電子ブレーカ１００において状態変化が生じず、一定時間も経過していない場合には、電子ブレーカ１００の状態（電流値、遮断／接続）について、操作表示部２０３の表示画面の表示更新は必要ない。
【００６７】  そして、制御部１０１は、端末装置２００における上述したステップＳ２０３からステップＳ２１０までの処理を、ブレーカ状態表示プログラムのアプリケーションがシャットダウンされるまで、あるいは、端末装置２００の電源がオフにされるまで繰り返し行う（図４中のステップＳ２１１）。
【００６８】  なお、ブレーカ状態表示プログラムのアプリケーションのシャットダウン操作や端末装置２００の電源オフ操作が操作表示部２０３で発生すると（図４中のステップＳ２１１でＹＥＳ）、制御部１０１は、新たに登録された電子ブレーカ１００を含めた既登録の電子ブレーカ１００それぞれの位置（距離と方向）や状態を記憶部２０５に記憶させてからアプリケーションを終了させる（図４中のステップＳ２１２）。
【００６９】  なお、以上の一連の処理において、既登録の電子ブレーカ１００について、一定時間以上にわたって電子ブレーカ１００からの通信を全く受信できない場合には、制御部１０１は、該当するブレーカ１００について表示画面上で「通信未検出エラー」のような表示をすることも好ましい。
【００７０】  また、以上のフローチャートには記載されていないが、端末装置２００を別な空間で使用する場合には、記憶部２０５における既登録の電子ブレーカ１００の記憶をリセットすることが可能である。そして、新たな空間における電子ブレーカ１００を新たに登録する（図４中のステップＳ２０５〜Ｓ２０７）ことで、新たな空間における電子ブレーカ１００の表示（図４中のステップＳ２０９）が可能になる。
【００７１】  また、以上のフローチャートには記載されていないが、電子ブレーカ１００の通信部１０２と端末装置２００の通信部２０１が共に双方向（送信及び受信）動作可能である場合を想定する。ここで、端末装置２００は、遮断制御信号と対象とする電子ブレーカ１００の識別信号とを、通信部２０２を介して電子ブレーカに向けて送信する。電子ブレーカ１００は端末装置２００からの遮断制御信号と識別信号とを通信部１０２を介して受信し、識別信号が合致する場合には、当該遮断制御信号に基づいて遮断部１２０が負荷への通電を遮断することが可能である。これにより、端末装置２００側で電子ブレーカ１００の設置位置や状態を把握した上で、更に、端末装置２００から電子ブレーカ１００の遮断の制御が可能になる。
【００７２】  また、以上のフローチャートには記載されていないが、電子ブレーカ１００の通信部１０２と端末装置２００の通信部２０１が共に双方向（送信及び受信）動作可能である場合には、端末装置２００から設定電流値を送信し、電子ブレーカ１００は端末装置２００からの設定電流値を受信して当該設定電流値を更新することが可能である。この場合、更新された当該設定電流値に基づいて遮断部１２０による負荷への通電の遮断を制御することにより、電子ブレーカ１００の設置位置や状態を容易に把握することが可能になるだけでなく、遮断のための設定電流値を遠隔操作で変更することができて使用状況に応じた柔軟かつ適切な対応が可能になる。
【００７３】  また、図１や図４には記載されていないが、電子ブレーカ１００において、電流検出部１３０に加え、振動センサ、煙センサ等の電流以外の他の検出部を設けることが可能である。この場合、電子ブレーカ１００は他の検出部での状態を送信し、端末装置２００では他の検出部からの状態を受信して操作表示部２０３に表示を行う。このようにすることで、更に多様な状態検出が可能になる。
〔端末装置２００における表示の一例〕
【００７４】  図５は、端末装置２００におけるブレーカ状態表示プログラムのアプリケーションによる操作表示部２０３における表示画面２０３Ｇの一例を示している。この図５では、図３のように空間Ａ１において１６台の電子ブレーカ１００（＃０１〜＃１６）が配置されている様子に対応して、端末装置２００が各電子ブレーカ１００の方向や距離を算出し、通信内容に応じて、ＩＤ（割り当てられた識別信号）、動作状況（遮断／接続の別）、通信の電界強度、方向、距離、現在の通電電流値、遮断時電流値、を一覧表示画面で表示した様子を示している。
【００７５】  図６は、端末装置２００におけるブレーカ状態表示プログラムのアプリケーションによる操作表示部２０３における別の表示画面２０３Ｇの一例を示している。この図６では、図３のように空間Ａ１において１６台の電子ブレーカ１００（＃０１〜＃１６）が配置されている様子に対応して、端末装置２００が各電子ブレーカ１００の方向や距離を算出し、通信内容に応じて、ＩＤ（割り当てられた識別信号）、動作状況（遮断／接続の別）、距離、現在の通電電流値、遮断時電流値、を電子ブレーカ１００の位置に応じてグラフィック画面で表示した様子を示している。
【００７６】  なお、制御部１０１は、図５の表示画面と図６の表示画面の両方を表示可能な場合には、ユーザからの選択に応じていずれかを表示するように制御する。
〔本実施形態により得られる効果〕
【００７７】  上述したように、図１のように構成された電子ブレーカ１００と端末装置２００とを備えた配電監視システム１０において、図４のような処理を実行することで、端末装置２００の操作表示部２０３に各電子ブレーカ１００の位置や状態が、図５や図６のように表示される。これにより、多くのブレーカを備える工場や集合住宅、商用ビルなどで、機械に不慣れなユーザであっても、視覚的に電子ブレーカ１００の位置や状態を瞬時に把握することが可能になる。この結果、遮断時の迅速な復旧や、遮断に至った原因の究明が容易になり、ブレーカ遮断による停電の経済損失を最小にすることが可能になる。
【００７８】  また、この配電監視システム１０を一般のユーザではなく工事担当者が使用することによっても、作業を効率的に済ませることが可能になるという利点を得られる。例えば、電子ブレーカ１００を設置した図面が存在しない場合、あるいは、担当者が後退した場合であっても、作業を極めて効率的に進めることが可能になる。この結果、遮断時の迅速な復旧や、遮断に至った原因の究明が容易になり、ブレーカ遮断による停電の経済損失を最小にすることが可能になる。
【００７９】  また、この配電監視システムでは、通電電流が設定電流値を超えたことを電流検出部１３０が検出した場合に、遮断部１２０が負荷への通電を遮断すると共に、通電の遮断を通信部１０２が送信し、端末装置２００は、電子ブレーカ１００から受信した内容に基づいて当該電子ブレーカ１００の状態を操作表示部２０３に表示することにより、負荷や配線が過電流から守られると共に、端末装置２００側で、過電流が発生した電子ブレーカの設置位置や状態を容易に把握することが可能になる。
【００８０】  また、この配電監視システムにおいて、電子ブレーカ１００は識別信号を付して送信し、端末装置２００は識別信号に基づいて電子ブレーカ１００を識別し、当該電子ブレーカ１００の状態を操作表示部２０３に表示することにより、端末装置側２００で、状態変化が発生した電子ブレーカ１００の設置位置や状態を容易に把握することが可能になる。
【００８１】  また、この配電監視システムにおいて、電子ブレーカ１００は予め定められた通信周波数により送信し、端末装置２００は当該通信周波数において受信した内容に基づいて電子ブレーカ１００の状態を操作表示部２０３に表示することにより、端末装置側２００で、状態変化が発生した電子ブレーカ１００の設置位置や状態を、混信などに影響されることなく、確実にかつ容易に把握することが可能になる。
【００８２】  また、この配電監視システムにおいて、電子ブレーカ１００は、電流検出部１３０の検出結果が所定時間以上経過しても変化が生じない場合に、当該所定時間経過時に検出結果を通信部１０２が送信するよう制御し、端末装置２００は、受信した内容に基づいて電子ブレーカ１００の状態を操作表示部２０３に表示することにより、状態変化が発生しない状況であっても電子ブレーカの設置位置や状態を、生存確認や異常放置を含め、端末装置側２００で、確実にかつ容易に把握することが可能になる。
【００８３】  また、この配電監視システムにおいて、電子ブレーカ１００として、それぞれ異なる識別信号が付された複数の電子ブレーカが設置され、端末装置は、識別信号に基づいて複数の電子ブレーカそれぞれを識別し、複数の電子ブレーカのそれぞれの状態を操作表示部２０３に表示することにより、複数の電子ブレーカが存在する場合であっても、電子ブレーカの設置位置や状態（状態変化、過電流発生、生存確認、異常放置など）を容易に把握することが可能になる。
【００８４】  また、この配電監視システムにおいて、端末装置２００は、遮断制御信号を電子ブレーカ１００に向けて送信し、電子ブレーカ１００は、端末装置２００からの遮断制御信号を受信し、当該遮断制御信号に基づいて遮断部１２０が負荷への通電を遮断する。これにより、端末装置２００側で電子ブレーカ１００の設置位置や状態を把握した上で、更に、端末装置２００から電子ブレーカ１００の遮断の制御が可能になる。
【００８５】  また、この配電監視システムにおいて、端末装置２００から設定電流値を送信し、電子ブレーカ１００は端末装置２００からの設定電流値を受信して当該設定電流値を更新し、更新された当該設定電流値に基づいて遮断部１２０による負荷への通電の遮断を制御することにより、電子ブレーカ１００の設置位置や状態を容易に把握することが可能になるだけでなく、遮断のための設定電流値を遠隔操作で変更することができて使用状況に応じた柔軟かつ適切な対応が可能になる。
【００８６】  また、この配電監視システムにおいて、端末装置２００を複数台使用することで、同じ空間内で複数のユーザが並行して、電子ブレーカ１００の設置位置や状態を容易に把握することが可能になる。すなわち、遮断時の迅速な復旧や、遮断に至った原因の究明が容易になり、プレーカ遮断による停電の経済損失を最小にすることが可能になる。
【００８７】  また、この配電監視システムにおいて、電子ブレーカ１００に電流検出部１３０に加え、振動センサや煙センサといった他の検出部を設けることにより、更に多様な状態検出が可能になる。
【符号の説明】
【００８８】１  配線
１ａ  配線（上流側）
１ｂ  配線（下流側）
１０  配電監視システム
１００  電子ブレーカ
１０１  制御部
１０２  通信部
１０５  記憶部
１１０  電源部
１２０  遮断部
１３０  電流検出部
２００  端末装置
２０１  制御部
２０２  通信部
２０３  操作表示部
２０５  記憶部
【図１】
2018060764.tif 000003
【図２】
2018060764.tif 000004
【図３】
2018060764.tif 000005
【図４】
2018060764.tif 000006
【図５】
2018060764.tif 000007
【図６】
2018060764.tif 000008